(57)【要約】      （修正有）【課題】複数の被検体であっても、個別の被検体の放射能濃度を他の被検体による放射線の影響を排除し、被検体毎に短時間で同時且つ容易に測定することが可能な非破壊方式の放射能測定装置を提供する。【解決手段】複数の被検体の放射能濃度を個別に測定できる放射能測定装置１０であって、複数の被検体を個別に分離して収納できる収納部１９を有する。収納部１９は、測定装置本体１１に出し入れ可能に配設されたトレイ１２である。トレイ１２は、方形状のトレイ本体１６と、トレイ本体１６に設けられた複数の仕切り部１７とを有し、複数の仕切り部１７により形成される複数の収納部１９へ被検体を個別に収納しうる。【選択図】図１
0003187526.tif 000002
【実用新案登録請求の範囲】
【請求項１】
複数の被検体の放射能濃度を個別に測定できる放射能測定装置であって、前記複数の被検体を個別に分離して収納できる収納部を有することを特徴とする放射能測定装置。
【請求項２】
前記収納部は、測定装置本体に出し入れ可能に配設されたトレイであって、前記トレイは、方形状のトレイ本体と、前記トレイ本体に設けられた複数の仕切り部とを有し、前記複数の仕切り部により形成される複数の収納部へ被検体を個別に収納しうることを特徴とする請求項１に記載の放射能測定装置。
【請求項３】
前記仕切り部は、前記トレイ本体の厚さ方向に沿って所定の高さ寸法に亘って形成され、上方が開放された収納部を形成することを特徴とする請求項２に記載の放射能測定装置。
【請求項４】
前記トレイは鉄製、鉛製又はタングステン製であって、前記仕切り部の厚さ寸法は２ｃｍ〜５ｃｍであると共に高さ寸法は５ｃｍ〜１０ｃｍであることを特徴とする請求項３に記載の放射能測定装置。
【請求項５】
前記トレイを複数有することを特徴とする請求項２に記載の放射能測定装置。
【考案の詳細な説明】
【技術分野】
【０００１】
本考案は、放射能測定装置に関するものである。
【背景技術】
【０００２】
２０１１年３月１１日に我が国において発生した東北地方太平洋沖地震では、地震発生から約１時間後に、遡上高１４〜１５ｍの津波に東京電力福島第一原子力発電所が襲われ、発電所では全電源を喪失して原子炉を冷却できなくなり、１号機、２号機及び３号機で炉心溶融（メルトダウン）が発生し、水素爆発により原子炉建屋が吹き飛び、大量の放射性物質の漏洩を伴う重大な原子力事故に発展した。
【０００３】
震災から数年が経過した現在においても、空気中に飛散した放射性物質の除染作業が追いつかずに土壌等に残留しており、被災地だけでなく周辺地域でも深刻な問題となっている。
【０００４】
土壌や水中に残留した放射性物質は、例えば、農産物や水産物を経て経口摂取されるため、農産物等を搬出の前段階での放射性物質の残留濃度を把握する必要があり、農産物等の残留濃度を測定することが可能な放射能測定装置の需要が高まっている。
【０００５】
しかしながら、例えば、果物や魚等の中には複数をパック詰めにして出荷するものがあり、従来の放射能測定装置（例えば、特許文献１参照）では、複数の被検体を同時に測定することができないという問題があった。
【０００６】
また、果物等の一部を抜き取ってサンプル測定を行うことも可能であるが、このような破壊方式の検査方法では、測定済みの果物等を出荷できなくなってしまうため、非破壊方式の検査装置が切望されていた。
【特許文献１】特許第４５１３５２９号公報
【考案の開示】
【考案が解決しようとする課題】
【０００７】
本考案は、上記従来技術の有する問題点に鑑みなされたものであり、その目的とするところは、複数の被検体であっても、個別の被検体の放射能濃度を他の被検体による放射線の影響を排除し、被検体毎に短時間で同時且つ容易に測定することが可能な非破壊方式の放射能測定装置を提供することにある。
【課題を解決するための手段】
【０００８】
本考案の上記課題は、下記の手段によって達成される。
【０００９】
請求項１に記載の考案に係る放射能測定装置は、複数の被検体の放射能濃度を個別に測定できる放射能測定装置であって、前記複数の被検体を個別に分離して収納できる収納部を有することを特徴とする。
【００１０】
請求項２に記載の考案に係る放射能測定装置は、前記収納部は、測定装置本体に出し入れ可能に配設されたトレイであって、前記トレイは、方形状のトレイ本体と、前記トレイ本体に設けられた複数の仕切り部とを有し、前記複数の仕切り部により形成される複数の収納部へ被検体を個別に収納しうることを特徴とする。
【００１１】
請求項３に記載の考案に係る放射能測定装置は、前記仕切り部は、前記トレイ本体の厚さ方向に沿って所定の高さ寸法に亘って形成され、上方が開放された収納部を形成することを特徴とする。
【００１２】
請求項４に記載の考案に係る放射能測定装置は、前記トレイは鉄製、鉛製又はタングステン製であって、前記仕切り部の厚さ寸法は２ｃｍ〜５ｃｍであると共に高さ寸法は５ｃｍ〜１０ｃｍであることを特徴とする。
【００１３】
従って、本考案の放射能測定装置は、前記複数の仕切り部により形成された前記複数の収納部を備えた前記トレイを有していることにより、各収納部に前記被検体を収納して放射能濃度を測定することができる。
【００１４】
請求項５に記載の考案に係る放射能測定装置は、前記トレイを複数有することを特徴とする。
【００１５】
従って、本考案の放射能測定装置は、前記トレイを複数有することにより、一方のトレイで測定を行っている間に、他方のトレイで測定準備を行うことができる。
【考案の効果】
【００１６】
請求項１〜請求項４に記載の考案にあっては、前記複数の仕切り部により形成された前記複数の収納部を備えた前記トレイを有していることにより、各収納部に前記被検体を収納して放射能濃度を測定することができるので、個別の被検体の放射能濃度を他の被検体による放射線の影響を排除し、被検体毎に短時間で同時且つ容易に測定を行うことができる。
【００１７】
また、本考案においては、前記被検体を前記トレイに載置したままで測定することができるので、従来のようなサンプル測定を行わずに非破壊方式で測定が可能となり、農産物や水産物を測定後に出荷することができる。
【００１８】
請求項５に記載の考案にあっては、前記トレイを複数有することにより、一方のトレイで測定を行っている間に、他方のトレイで測定準備を行うことができるので、被検体の入れ替えにかかる時間を最小限に抑え、全体として測定時間の短縮を図ることができる。
【図面の簡単な説明】
【００１９】
【図１】本考案に係る放射能測定装置の一実施の形態を示す斜視図である。
【図２】本考案に係る放射能測定装置の他の実施の形態を示す斜視図である。
【考案を実施するための最良の形態】
【００２０】
以下、本考案に係る放射能測定装置を実施の形態に基づき、図面を参照して詳細に説明する。なお、本考案の放射能測定装置は、以下の各実施形態に限定されるものではなく、本考案の要旨を逸脱しない範囲内において種々変更を加え得ることは可能である。
【００２１】
まず、本考案に係る放射能測定装置の第一の実施の形態について説明する。
【００２２】
図１に示すように、本考案に係る放射能測定装置１０は、測定装置本体１１と、測定装置本体１１の一方の側面側に引き出し可能に配設されたトレイ１２と、放射能測定装置１０をコンピュータ制御する操作部１３とを備えている。
【００２３】
図１に示すように、測定装置本体１１は、略直方体状に形成され、測定装置本体１１の底部から下方に延設された４本の脚部１４と、脚部１４の裏側底部に設けられた水平調整用設置部１５とを備えている。
【００２４】
測定装置本体１１は、厚さ寸法が１０〜１５ｃｍ相当の鉄と同程度の遮蔽能力をもつ素材を遮蔽体として使用しており、外部の放射性物質の影響を最小限に抑えるよう形成されている。
【００２５】
図１に示すように、トレイ１２は、方形状のトレイ本体１６と、トレイ本体１６に設けられた複数の仕切り部１７と、トレイ本体１６の前面部に設けられた把持部１８とを有しており、仕切り部１７は、トレイ本体１６の厚さ方向に沿って所定の高さ寸法に亘って形成され、上方が開放された収納部１９が形成されている。
【００２６】
トレイ１２は、鉄、鉛、タングステン等の遮蔽性を有する素材からなり、仕切り部１７の厚さ寸法は、２ｃｍ厚の鉄と同等以上の遮蔽効果を担保できる厚み、例えば２ｃｍ〜５ｃｍとし、高さ寸法は、例えば５ｃｍ〜１０ｃｍとし、測定対象に合わせて適宜変更可能に形成されている。
【００２７】
本考案においては、図１に示すように、複数の収納部１９を備えたトレイ１２を有していることにより、各収納部１９に被検体を収納して放射能濃度を測定することができるので、個別の被検体の放射能濃度を他の被検体による放射線の影響を排除し、被検体毎に短時間で同時且つ容易に測定を行うことができる。
【００２８】
また、本考案においては、被検体をトレイ１２に載置したままで測定することができるので、従来のようなサンプル測定を行わずに非破壊方式で測定が可能となり、農産物や水産物を測定後に出荷することができる。
【００２９】
次に、本考案に係る放射能測定装置の第二の実施の形態について説明する。
【００３０】
なお、本実施形態に係る放射能測定装置２０は、上述した第一の実施形態に係る放射能測定装置１０の構成要素のトレイ１２の設置数が異なる以外は、放射能測定装置１０と同一の構成であるので、本実施形態については、異なる部分についてのみ説明し、それ以外の部分については説明を省略する。
【００３１】
図２に示すように、本考案に係る放射能測定装置２０は、測定装置本体２１の一方の側面側に引き出し可能に配設されたトレイ２２の他に、反対の側面側にトレイ２２と同様にして設置されたトレイ２３を備えている。
【００３２】
本考案においては、図２に示すように、トレイ２２の他にトレイ２３を有することにより、トレイ２２で測定を行っている間に、トレイ２３で測定準備を行うことができるので、被検体の入れ替えにかかる時間を最小限に抑え、全体として測定時間の短縮を図ることができる。
【００３３】
次に、本考案に係る放射能測定装置の使用方法について説明する。なお、ここでは、第二の実施形態にかかる放射能測定装置２０を用いてあんぽ柿の放射能濃度を測定する方法について説明する。
【００３４】
まず、図２に示すように、把持部２４を掴んでトレイ２２をユーザ側へ引き出し、パック詰めされたあんぽ柿２５を収納部２６上にそれぞれ載置し、例えば、γ線分析システム（In Situ Object Counting System）等の所定の方法を用いてあんぽ柿２５の放射能濃度を測定する。
【００３５】
トレイ２２を用いてあんぽ柿２５の放射能濃度の測定を行っている間に、図２を示すように、トレイ２３の収納部（図示せず。）上にあんぽ柿（図示せず。）をそれぞれ載置し、トレイ２２の測定が終了した後に測定を開始する。
【００３６】
なお、通常環境下においては、検出下限値２５Ｂｑ／ｋｇ及びスクリーニングレベル７０Ｂｑ／ｋｇ以上を担保した上で、６０秒で測定を行うことができる。
【００３７】
従って、上記の条件で測定を行った場合、すなわち測定時間６０秒、処理時間３０秒とし、測定１工程あたり９０秒とした場合には、１時間あたり３２０パックのあんぽ柿の放射能濃度を測定することができる。
【００３８】
上述した実施形態にかかる放射能測定装置においては、あんぽ柿を例に挙げて測定方法について説明したが、本考案において適用可能な被検体としては、パック詰めされたイチゴやサクランボ等の果物の他、野菜や魚介類等が挙げられる。
【００３９】
また、上記以外の被検体の種類や大きさに応じてトレイ等の大きさや設置数等を適宜変更することができ、その場合であっても本実施形態ともに上述した同様の作用及び効果を得ることが可能である。
【００４０】
また、上述した実施形態にかかる放射能測定装置においては、分析手法としてＲＯＩ法やスペクトロスコピー法等を適用することが可能であるが、本考案の要旨を逸脱しない範囲内において他の手法が適用されてもよく、その場合であっても本実施形態ともに上述した同様の作用及び効果を得ることが可能である。
【産業上の利用可能性】
【００４１】
本考案に係る放射能測定装置は、個別の被検体の放射能濃度を他の被検体による放射線の影響を排除し、被検体毎に短時間で同時且つ容易に測定を行うことができ、また、従来のようなサンプル測定を行わずに非破壊方式で測定が可能となり、農産物や水産物を測定後に出荷することができ、さらに、被検体の入れ替えにかかる時間を最小限に抑え、全体として測定時間の短縮を図ることができるので、放射能測定装置として極めて有用であることから、産業上の利用可能性を有している。
【符号の説明】
【００４２】
１０・・・放射能測定装置
１１・・・測定装置本体
１２・・・トレイ
１３・・・操作部
１４・・・脚部
１５・・・水平調整用設置部
１６・・・トレイ本体
１７・・・仕切り部
１８・・・把持部
１９・・・収納部
２０・・・放射能測定装置
２１・・・測定装置本体
２２、２３・・・トレイ
２４・・・把持部
２５・・・あんぽ柿
２６・・・収納部
【図１】
0003187526.tif 000003
【図２】
0003187526.tif 000004
【手続補正書】
【提出日】平成25年10月7日(2013.10.7)
【手続補正１】
【補正対象書類名】実用新案登録請求の範囲
【補正対象項目名】全文
【補正方法】変更
【補正の内容】
【実用新案登録請求の範囲】
【請求項１】
複数の被検体の放射能濃度を個別に測定できる放射能測定装置であって、前記複数の被検体を個別に分離して収納できる収納部を有し、前記収納部は、測定装置本体に出し入れ可能に配設されたトレイであって、前記トレイは、方形状のトレイ本体と、前記トレイ本体に設けられた複数の仕切り部とを有し、前記複数の仕切り部により形成される複数の収納部へ被検体を個別に収納しうることを特徴とする放射能測定装置。
【請求項２】
前記仕切り部は、前記トレイ本体の厚さ方向に沿って所定の高さ寸法に亘って形成され、上方が開放された収納部を形成することを特徴とする請求項１に記載の放射能測定装置。
【請求項３】
前記トレイは鉄製、鉛製又はタングステン製であって、前記仕切り部の厚さ寸法は２ｃｍ〜５ｃｍであると共に高さ寸法は５ｃｍ〜１０ｃｍであることを特徴とする請求項２に記載の放射能測定装置。
【請求項４】
前記トレイを複数有することを特徴とする請求項１に記載の放射能測定装置。
【手続補正２】
【補正対象書類名】明細書
【補正対象項目名】全文
【補正方法】変更
【補正の内容】
【考案の詳細な説明】
【技術分野】
【０００１】
本考案は、放射能測定装置に関するものである。
【背景技術】
【０００２】
２０１１年３月１１日に我が国において発生した東北地方太平洋沖地震では、地震発生から約１時間後に、遡上高１４〜１５ｍの津波に東京電力福島第一原子力発電所が襲われ、発電所では全電源を喪失して原子炉を冷却できなくなり、１号機、２号機及び３号機で炉心溶融（メルトダウン）が発生し、水素爆発により原子炉建屋が吹き飛び、大量の放射性物質の漏洩を伴う重大な原子力事故に発展した。
【０００３】
震災から数年が経過した現在においても、空気中に飛散した放射性物質の除染作業が追いつかずに土壌等に残留しており、被災地だけでなく周辺地域でも深刻な問題となっている。
【０００４】
土壌や水中に残留した放射性物質は、例えば、農産物や水産物を経て経口摂取されるため、農産物等を搬出の前段階での放射性物質の残留濃度を把握する必要があり、農産物等の残留濃度を測定することが可能な放射能測定装置の需要が高まっている。
【０００５】
しかしながら、例えば、果物や魚等の中には複数をパック詰めにして出荷するものがあり、従来の放射能測定装置（例えば、特許文献１参照）では、複数の被検体を同時に測定することができないという問題があった。
【０００６】
また、果物等の一部を抜き取ってサンプル測定を行うことも可能であるが、このような破壊方式の検査方法では、測定済みの果物等を出荷できなくなってしまうため、非破壊方式の検査装置が切望されていた。
【特許文献１】特許第４５１３５２９号公報
【考案の開示】
【考案が解決しようとする課題】
【０００７】
本考案は、上記従来技術の有する問題点に鑑みなされたものであり、その目的とするところは、複数の被検体であっても、個別の被検体の放射能濃度を他の被検体による放射線の影響を排除し、被検体毎に短時間で同時且つ容易に測定することが可能な非破壊方式の放射能測定装置を提供することにある。
【課題を解決するための手段】
【０００８】
本考案の上記課題は、下記の手段によって達成される。
【０００９】
請求項１に記載の考案に係る放射能測定装置は、複数の被検体の放射能濃度を個別に測定できる放射能測定装置であって、前記複数の被検体を個別に分離して収納できる収納部を有し、前記収納部は、測定装置本体に出し入れ可能に配設されたトレイであって、前記トレイは、方形状のトレイ本体と、前記トレイ本体に設けられた複数の仕切り部とを有し、前記複数の仕切り部により形成される複数の収納部へ被検体を個別に収納しうることを特徴とする。
従って、本考案の放射能測定装置は、前記複数の仕切り部により形成された前記複数の収納部を備えた前記トレイを有していることにより、各収納部に前記被検体を収納して放射能濃度を測定することができる。
【００１０】
請求項２に記載の考案に係る放射能測定装置は、前記仕切り部は、前記トレイ本体の厚さ方向に沿って所定の高さ寸法に亘って形成され、上方が開放された収納部を形成することを特徴とする。
【００１１】
請求項３に記載の考案に係る放射能測定装置は、前記トレイは鉄製、鉛製又はタングステン製であって、前記仕切り部の厚さ寸法は２ｃｍ〜５ｃｍであると共に高さ寸法は５ｃｍ〜１０ｃｍであることを特徴とする。
【００１２】
請求項４に記載の考案に係る放射能測定装置は、前記トレイを複数有することを特徴とする。
従って、本考案の放射能測定装置は、前記トレイを複数有することにより、一方のトレイで測定を行っている間に、他方のトレイで測定準備を行うことができる。
【考案の効果】
【００１３】
請求項１〜請求項４に記載の考案にあっては、前記複数の仕切り部により形成された前記複数の収納部を備えた前記トレイを有していることにより、各収納部に前記被検体を収納して放射能濃度を測定することができるので、個別の被検体の放射能濃度を他の被検体による放射線の影響を排除し、被検体毎に短時間で同時且つ容易に測定を行うことができる。
【００１４】
また、本考案においては、前記被検体を前記トレイに載置したままで測定することができるので、従来のようなサンプル測定を行わずに非破壊方式で測定が可能となり、農産物や水産物を測定後に出荷することができる。
【００１５】
請求項５に記載の考案にあっては、前記トレイを複数有することにより、一方のトレイで測定を行っている間に、他方のトレイで測定準備を行うことができるので、被検体の入れ替えにかかる時間を最小限に抑え、全体として測定時間の短縮を図ることができる。
【図面の簡単な説明】
【００１６】
【図１】本考案に係る放射能測定装置の一実施の形態を示す斜視図である。
【図２】本考案に係る放射能測定装置の他の実施の形態を示す斜視図である。
【考案を実施するための最良の形態】
【００１７】
以下、本考案に係る放射能測定装置を実施の形態に基づき、図面を参照して詳細に説明する。なお、本考案の放射能測定装置は、以下の各実施形態に限定されるものではなく、本考案の要旨を逸脱しない範囲内において種々変更を加え得ることは可能である。
【００１８】
まず、本考案に係る放射能測定装置の第一の実施の形態について説明する。
【００１９】
図１に示すように、本考案に係る放射能測定装置１０は、測定装置本体１１と、測定装置本体１１の一方の側面側に引き出し可能に配設されたトレイ１２と、放射能測定装置１０をコンピュータ制御する操作部１３とを備えている。
【００２０】
図１に示すように、測定装置本体１１は、略直方体状に形成され、測定装置本体１１の底部から下方に延設された４本の脚部１４と、脚部１４の裏側底部に設けられた水平調整用設置部１５とを備えている。
【００２１】
測定装置本体１１は、厚さ寸法が１０〜１５ｃｍ相当の鉄と同程度の遮蔽能力をもつ素材を遮蔽体として使用しており、外部の放射性物質の影響を最小限に抑えるよう形成されている。
【００２２】
図１に示すように、トレイ１２は、方形状のトレイ本体１６と、トレイ本体１６に設けられた複数の仕切り部１７と、トレイ本体１６の前面部に設けられた把持部１８とを有しており、仕切り部１７は、トレイ本体１６の厚さ方向に沿って所定の高さ寸法に亘って形成され、上方が開放された収納部１９が形成されている。
【００２３】
トレイ１２は、鉄、鉛、タングステン等の遮蔽性を有する素材からなり、仕切り部１７の厚さ寸法は、２ｃｍ厚の鉄と同等以上の遮蔽効果を担保できる厚み、例えば２ｃｍ〜５ｃｍとし、高さ寸法は、例えば５ｃｍ〜１０ｃｍとし、測定対象に合わせて適宜変更可能に形成されている。
【００２４】
本考案においては、図１に示すように、複数の収納部１９を備えたトレイ１２を有していることにより、各収納部１９に被検体を収納して放射能濃度を測定することができるので、個別の被検体の放射能濃度を他の被検体による放射線の影響を排除し、被検体毎に短時間で同時且つ容易に測定を行うことができる。
【００２５】
また、本考案においては、被検体をトレイ１２に載置したままで測定することができるので、従来のようなサンプル測定を行わずに非破壊方式で測定が可能となり、農産物や水産物を測定後に出荷することができる。
【００２６】
次に、本考案に係る放射能測定装置の第二の実施の形態について説明する。
【００２７】
なお、本実施形態に係る放射能測定装置２０は、上述した第一の実施形態に係る放射能測定装置１０の構成要素のトレイ１２の設置数が異なる以外は、放射能測定装置１０と同一の構成であるので、本実施形態については、異なる部分についてのみ説明し、それ以外の部分については説明を省略する。
【００２８】
図２に示すように、本考案に係る放射能測定装置２０は、測定装置本体２１の一方の側面側に引き出し可能に配設されたトレイ２２の他に、反対の側面側にトレイ２２と同様にして設置されたトレイ２３を備えている。
【００２９】
本考案においては、図２に示すように、トレイ２２の他にトレイ２３を有することにより、トレイ２２で測定を行っている間に、トレイ２３で測定準備を行うことができるので、被検体の入れ替えにかかる時間を最小限に抑え、全体として測定時間の短縮を図ることができる。
【００３０】
次に、本考案に係る放射能測定装置の使用方法について説明する。なお、ここでは、第二の実施形態にかかる放射能測定装置２０を用いてあんぽ柿の放射能濃度を測定する方法について説明する。
【００３１】
まず、図２に示すように、把持部２４を掴んでトレイ２２をユーザ側へ引き出し、パック詰めされたあんぽ柿２５を収納部２６上にそれぞれ載置し、例えば、γ線分析システム（In Situ Object Counting System）等の所定の方法を用いてあんぽ柿２５の放射能濃度を測定する。
【００３２】
トレイ２２を用いてあんぽ柿２５の放射能濃度の測定を行っている間に、図２を示すように、トレイ２３の収納部（図示せず。）上にあんぽ柿（図示せず。）をそれぞれ載置し、トレイ２２の測定が終了した後に測定を開始する。
【００３３】
なお、通常環境下においては、検出下限値２５Ｂｑ／ｋｇ及びスクリーニングレベル７０Ｂｑ／ｋｇ以上を担保した上で、６０秒で測定を行うことができる。
【００３４】
従って、上記の条件で測定を行った場合、すなわち測定時間６０秒、処理時間３０秒とし、測定１工程あたり９０秒とした場合には、１時間あたり３２０パックのあんぽ柿の放射能濃度を測定することができる。
【００３５】
上述した実施形態にかかる放射能測定装置においては、あんぽ柿を例に挙げて測定方法について説明したが、本考案において適用可能な被検体としては、パック詰めされたイチゴやサクランボ等の果物の他、野菜や魚介類等が挙げられる。
【００３６】
また、上記以外の被検体の種類や大きさに応じてトレイ等の大きさや設置数等を適宜変更することができ、その場合であっても本実施形態ともに上述した同様の作用及び効果を得ることが可能である。
【００３７】
また、上述した実施形態にかかる放射能測定装置においては、分析手法としてＲＯＩ法やスペクトロスコピー法等を適用することが可能であるが、本考案の要旨を逸脱しない範囲内において他の手法が適用されてもよく、その場合であっても本実施形態ともに上述した同様の作用及び効果を得ることが可能である。
【産業上の利用可能性】
【００３８】
本考案に係る放射能測定装置は、個別の被検体の放射能濃度を他の被検体による放射線の影響を排除し、被検体毎に短時間で同時且つ容易に測定を行うことができ、また、従来のようなサンプル測定を行わずに非破壊方式で測定が可能となり、農産物や水産物を測定後に出荷することができ、さらに、被検体の入れ替えにかかる時間を最小限に抑え、全体として測定時間の短縮を図ることができるので、放射能測定装置として極めて有用であることから、産業上の利用可能性を有している。
【符号の説明】
【００３９】
１０・・・放射能測定装置
１１・・・測定装置本体
１２・・・トレイ
１３・・・操作部
１４・・・脚部
１５・・・水平調整用設置部
１６・・・トレイ本体
１７・・・仕切り部
１８・・・把持部
１９・・・収納部
２０・・・放射能測定装置
２１・・・測定装置本体
２２、２３・・・トレイ
２４・・・把持部
２５・・・あんぽ柿
２６・・・収納部